(57)【要約】【課題】ＯＬＥＤ素子における消費電流量を低減する。【解決手段】第１期間において、駆動トランジスタのゲートが電気的にフローティング状態とされたうえで、第１電極に第１の電位が供給されて第２電極の電位が駆動トランジスタをオン状態に遷移させることができる電位に変化し、第２期間において、駆動トランジスタがダイオード接続されるとともに、第１の電位とは異なる電位であって、データ電位の最大値と最小値との間の範囲内にある第２の電位が第１電極に供給され、第３期間においてダイオード接続が解除されるとともにデータ電位が第１電極に供給され、第４期間において、駆動トランジスタのゲートの電位に応じた駆動電流が発光素子に供給される。【選択図】      図４
2009157148.tif 000002
【特許請求の範囲】
【請求項１】
駆動電流を生成する駆動トランジスタと、
前記駆動電流に応じた階調となる発光素子と、
前記発光素子の階調に応じたデータ電位が供給されるデータ線と導通可能な第１電極と、前記駆動トランジスタのゲートに接続された第２電極と、を有する容量素子と、
を備えた発光装置を駆動させる駆動方法であって、
第１期間において、前記駆動トランジスタのゲートを電気的にフローティング状態としたうえで前記第１電極に第１の電位を供給することで、前記第２電極の電位を前記駆動トランジスタがオン状態となる電位に変化させ、
前記第１期間経過後の第２期間において、前記駆動トランジスタをダイオード接続するとともに、前記第１の電位とは異なる電位であって、前記データ電位の最大値と最小値との間の範囲内にある第２の電位を前記第1電極に供給し、
前記第２期間経過後の第３期間において、前記駆動トランジスタの前記ダイオード接続を解除するとともに、前記データ線と前記第１電極とを導通させて前記第１電極に前記データ電位を供給し、前記第１電極の電位を前記第２の電位から前記データ電位に変化させることで、前記第２電極の電位を前記データ電位に応じた電位に変化させ、
前記第３期間経過後の第４期間において、前記駆動トランジスタのゲートの電位に応じた前記駆動電流を前記発光素子に供給する、
ことを特徴とする発光装置の駆動方法。
【請求項２】
前記駆動トランジスタはＰチャネル型のトランジスタであって、
前記第１の電位は、前記データ電位の最小値よりも低い、
ことを特徴とする請求項１に記載の発光装置の駆動方法。
【請求項３】
前記駆動トランジスタはＮチャネル型のトランジスタであって、
前記第１の電位は、前記データ電位の最大値よりも高い、
ことを特徴とする請求項１に記載の発光装置の駆動方法。
【請求項４】
駆動電流を生成する駆動トランジスタと、
前記駆動電流に応じた階調となる発光素子と、
前記発光素子の階調に応じたデータ電位が供給されるデータ線と導通可能な第１電極と、前記駆動トランジスタのゲートに接続された第２電極と、を有する容量素子と、
第１期間において、前記駆動トランジスタをオン状態にするための第１の電位を生成し、前記第１期間経過後の第２期間において、前記第１の電位とは異なる電位であって、前記データ電位の最大値と最小値との間の範囲内にある第２の電位を生成する電位生成手段と、
前記電位生成手段で生成された電位を前記第１電極に供給するか否かを切り替える第1のスイッチング手段と、
前記駆動トランジスタのゲートとドレインとの導通および非導通を切り替える第２のスイッチング手段と、
前記データ線と前記第１電極との導通および非導通を切り替える第３のスイッチング手段と、を備え、
前記第１期間において、前記第１のスイッチング手段はオン状態とされる一方、前記第２のスイッチング手段および第３のスイッチング手段はオフ状態とされ、
前記第２期間において、前記第１のスイッチング手段および前記第２のスイッチング手段はオン状態とされる一方、前記第３のスイッチング手段はオフ状態とされ、
前記第２期間経過後の第３期間において、前記第１のスイッチング手段および第２のスイッチング手段はオフ状態とされる一方、前記第３のスイッチング手段はオン状態とされ、
前記第３期間経過後の期間であって、前記駆動トランジスタのゲートの電位に応じた駆動電流が前記発光素子に供給される第４期間において、前記第１乃至第３のスイッチング手段はオフ状態とされる、
ことを特徴とする発光装置。
【請求項５】
前記駆動トランジスタはＰチャネル型のトランジスタであって、
前記第１の電位は、前記データ電位の最小値よりも低い電位に設定され、
前記駆動トランジスタから前記発光素子へ至る電流経路上には、前記駆動電流を前記発光素子へ供給するか否かを切り替える第４のスイッチング手段が設けられ、
前記第１乃至第３の期間において、前記第４のスイッチング手段はオフ状態とされ、
前記第４の期間において、前記第４のスイッチング手段はオン状態とされる、
ことを特徴とする請求項４に記載の発光装置。
【請求項６】
前記駆動トランジスタはＮチャネル型のトランジスタであって、
前記第１の電位は、前記データ電位の最大値よりも高い電位に設定され、
前記駆動トランジスタから前記電気光学素子に至る電流経路から分岐した電流経路上には、前記駆動電流が前記発光素子へ供給されないようにバイパスするか否かを切り替えるスイッチング手段であって、前記第１のスイッチング手段がオン状態にあるときにオン状態となり、前記第１のスイッチング手段がオフ状態にあるときにオフ状態となる第５のスイッチング手段が設けられ、
電源電位が供給される電源線から前記駆動トランジスタのドレインに至る経路上には、前記電源電位を前記駆動トランジスタに供給するか否かを切り替える第６のスイッチング手段が設けられ、
前記第１乃至前記第３期間において、前記第６のスイッチング手段はオフ状態とされ、
前記４期間において、前記第６のスイッチング手段はオン状態とされる、
ことを特徴とする請求項４に記載の発光装置。
【請求項７】
請求項４から請求項６の何れかに記載の発光装置を備えた電子機器。
【発明の詳細な説明】
【技術分野】
【０００１】
本発明は、発光素子を用いた発光装置および電子機器に関する。
【背景技術】
【０００２】
近年、液晶素子に代わる次世代の発光デバイスとして、有機ＥＬ（ElectroLuminescent）素子や発光ポリマー素子などと呼ばれる有機発光ダイオード（Organic Light Emitting Diode、以下「ＯＬＥＤ素子」という）素子が注目されている。この種の発光素子は電流の供給によって階調（典型的には輝度）が変化する。この電流を駆動トランジスタによって制御する技術が従来から提案されている。しかしながら、この構成においては、駆動トランジスタの特性（特に閾値電圧）の個体差に起因して各発光素子の階調にバラツキが発生するという問題がある。この階調のバラツキを抑制するために、例えば特許文献１には、駆動トランジスタの閾値電圧の相違を補償する構成が開示されている。
【０００３】
図１７は、特許文献１に開示された画素回路Ｐ０の構成を示す回路図である。図１７に示すように、画素回路Ｐ０は、駆動トランジスタＰ１と、スイッチング素子として機能するトランジスタＰ２、Ｐ３、Ｐ４と、容量素子ＣｏおよびＣｓと、ＯＬＥＤ素子と、を有する。図１７に示すように、ＯＬＥＤ素子は、電源電位ＶＥＬが供給される電源線と接地電位ＧＮＤが供給される接地線との間に介挿される。図１７に示すように、駆動トランジスタＰ１からＯＬＥＤ素子に至るまでの電流経路上には、駆動電流をＯＬＥＤ素子に供給するか否かを切り替えるトランジスタＰ２が設けられる。駆動トランジスタＰ１のゲートとドレインとの間には、駆動トランジスタをダイオード接続するか否かを切り替えるトランジスタＰ３が介挿される。駆動トランジスタＰ１のゲートには容量素子Ｃｏの一方の電極Ｌ２が接続される。駆動トランジスタＰ１のゲートとソースとの間には容量素子Ｃｓが介挿される。ＯＬＥＤ素子の階調に応じた電位（以下「データ電位」という）が供給されるデータラインと容量素子Ｃｏの他方の電極Ｌ１との間には、データラインと容量素子Ｃｏとの導通および非導通を切り替えるトランジスタＰ４が設けられる。
【０００４】
以上の構成において、第１に、図１７に示す照明ラインおよびオートゼロラインからの信号によってトランジスタＰ２およびトランジスタＰ３がオン状態にされる。そうすると、駆動トランジスタＰ１のゲートには、トランジスタＰ２およびトランジスタＰ３、並びにＯＬＥＤ素子を介して低位側電位が供給され、駆動トランジスタＰ１はオン状態にされる。第２に、トランジスタＰ３はオン状態にされたままトランジスタＰ２がオフ状態にされ、駆動トランジスタＰ１はダイオード接続される。そうすると、駆動トランジスタＰ１のゲートの電位は「ＶＥＬ−Ｖｔｈ」に収束する（Ｖｔｈは駆動トランジスタＰ１の閾値電圧）。第３に、トランジスタＰ３がオフ状態にされるとともに、図１７に示すセレクトラインからの信号によってトランジスタＰ４がオン状態にされる。これによって、容量素子Ｃｏの電極Ｌ１とデータラインとが導通し、駆動トランジスタＰ１のゲートの電位は、電極Ｌ１における電位の変化分を容量素子ＣｏとＣｓとの容量比に応じて分割したレベル（すなわちデータ電位に応じたレベル）だけ変化する。第４に、トランジスタＰ４がオフ状態にされるとともに、照明ラインからの信号によって再びトランジスタＰ２がオン状態にされ、閾値電圧Ｖｔｈに依存しない駆動電流ＩｅｌがＯＬＥＤ素子に供給される。
【特許文献１】特表２００２―５１４３２０号公報
【発明の開示】
【発明が解決しようとする課題】
【０００５】
上述の、駆動トランジスタＰ１をダイオード接続する段階において、駆動トランジスタＰ１のゲートにドレインからの電位をフィードバックさせて、ゲート電位を「ＶＥＬ−Ｖｔｈ」に近づけるためには、ダイオード接続の前段階において駆動トランジスタＰ１をオン状態にする必要がある。  
特許文献１の構成においては、ダイオード接続の前段階において、駆動トランジスタＰ１のゲートをトランジスタＰ２およびＰ３、並びにＯＬＥＤ素子を介して接地線に導通させることによって、そのゲート電位を、駆動トランジスタＰ１をオン状態に遷移させることができる電位に設定している。しかしながら、この方法では、ダイオード接続の前段階においてＯＬＥＤ素子に電流が流れてしまい、ＯＬＥＤ素子における消費電流量が増大してしまうという問題があった。
また、特許文献１の構成においては、本来発光させない期間においてＯＬＥＤ素子が発光するため、最も暗い階調である黒を正確に表示することができず、コントラストが低下するという問題があった。
以上の事情に鑑みて、本発明は、ＯＬＥＤ素子における消費電流量を低減するという課題の解決を目的としている。
【課題を解決するための手段】
【０００６】
以上の課題を解決するために、本発明に係る発光装置の駆動方法は、駆動電流を生成する駆動トランジスタと、駆動電流に応じた階調となる発光素子と、発光素子の階調に応じたデータ電位が供給されるデータ線と導通可能な第１電極（例えば図２に示す第１電極Ａおよび図８に示す第１電極Ａ２）と、駆動トランジスタのゲートに接続された第２電極（例えば図２に示す第２電極Ｂおよび図８に示す第２電極Ｂ２）と、を有する容量素子（例えば図２に示す容量素子Ｃｃおよび図８に示す容量素子Ｃｃ２）と、を備えた発光装置を駆動させる駆動方法であって、第１期間（図３および図９に示すリセット期間Ｐａ）において、駆動トランジスタのゲートを電気的にフローティング状態としたうえで第１電極に第１の電位を供給することで、第２電極の電位を駆動トランジスタがオン状態となる電位に変化させ、第１期間経過後の第２期間（図３および図９に示す補償期間Ｐｂ）において、駆動トランジスタをダイオード接続するとともに、第１の電位とは異なる電位であって、データ電位の最大値と最小値との間の範囲内にある第２の電位を第1電極に供給し、第２期間経過後の第３期間（図３および図９に示す書込期間ＰWRT）において、駆動トランジスタのダイオード接続を解除するとともに、データ線と第１電極とを導通させて第１電極にデータ電位を供給し、第１電極の電位を第２の電位からデータ電位に変化させることで、第２電極の電位をデータ電位に応じた電位に変化させ、第３期間経過後の第４期間（図３および図９に示す発光期間ＰEL）において、駆動トランジスタのゲートの電位に応じた駆動電流を発光素子に供給することを特徴とする。
【０００７】
本発明の態様によれば、駆動トランジスタをダイオード接続する前の第１期間において、駆動トランジスタのゲートを電気的にフローティング状態としたうえで第１電極に第１の電位を供給することにより、第２電極の電位が駆動トランジスタをオン状態に遷移させることができる電位に変化する。また、本発明の態様においては、発光素子に駆動電流が供給される期間は第１期間よりも後の第４期間のみであり、図１７に示す構成のように第１期間において駆動電流が発光素子に供給されることはない。従って、本発明の態様によれば、第１期間において駆動電流が発光素子に供給されることはないうえ、駆動トランジスタを確実にオン状態にできる。従って、発光素子における消費電流量を低減できる。
また、本発明の態様によれば、図１７に示す構成のように、本来発光させない期間においてＯＬＥＤ素子が発光することはないから、最も暗い階調である黒がＯＬＥＤ素子に対して指定された場合において、黒を正確に表示できる。従って、図１７に示す構成に比べて画像のコントラストを向上させることができる。
【０００８】
本発明の具体的な態様において、駆動トランジスタはＰチャネル型のトランジスタであって、第１の電位は、データ電位の最小値よりも低く設定される態様とすることができる。この場合、第１の電位は、駆動トランジスタをオン状態に遷移させることができる電位に設定される。すなわち、第１期間において、この第１の電位が第１電極に供給されることで、Ｐチャネル型の駆動トランジスタは確実にオン状態にされる。
【０００９】
本発明の具体的な態様において、駆動トランジスタはＮチャネル型のトランジスタであって、第１の電位は、データ電位の最大値よりも高く設定される態様とすることもできる。この場合、第１電極に供給される第１の電位は、駆動トランジスタをオン状態に遷移させることができる電位に設定される。すなわち、第１期間において、この第１の電位が第１電極に供給されることで、Ｎチャネル型の駆動トランジスタは確実にオン状態にされる。
【００１０】
次に、本発明に係る発光装置は、駆動電流を生成する駆動トランジスタと、駆動電流に応じた階調となる発光素子と、発光素子の階調に応じたデータ電位が供給されるデータ線と導通可能な第１電極（例えば図２に示す第１電極Ａおよび図８に示す第１電極Ａ２）と、前記駆動トランジスタのゲートに接続された第２電極（例えば図２に示すＢおよび図８に示すＢ２）と、を有する容量素子（例えば図２に示す容量素子Ｃｃおよび図８に示す容量素子Ｃｃ２）と、第１期間において、駆動トランジスタをオン状態にするための第１の電位を生成し、第１期間経過後の第２期間において、第１の電位とは異なる電位であって、データ電位の最大値と最小値との間の範囲内にある第２の電位を生成する電位生成手段（例えば図１に示す電圧生成部２４）と、電位生成手段で生成された電位を第１電極に供給するか否かを切り替える第1のスイッチング手段（例えば図２に示すトランジスタ２４０および図８に示すトランジスタ３４０）と、駆動トランジスタのゲートとドレインとの導通および非導通を切り替える第２のスイッチング手段（例えば図２に示すトランジスタ２２０および図８に示すトランジスタ３２０）と、データ線と第１電極との導通および非導通を切り替える第３のスイッチング手段（例えば図２に示すトランジスタ２３０および図８に示すトランジスタ３３０）と、を備え、第１期間（図３および図９に示すリセット期間Ｐａ）において、第１のスイッチング手段はオン状態とされる一方、第２のスイッチング手段および第３のスイッチング手段はオフ状態とされ、第２期間（図３および図９に示す補償期間Ｐｂ）において、第１のスイッチング手段および第２のスイッチング手段はオン状態とされる一方、第３のスイッチング手段はオフ状態とされ、第２期間経過後の第３期間（図３および図９に示す書込期間ＰWRT）において、第１のスイッチング手段および第２のスイッチング手段はオフ状態とされる一方、第３のスイッチング手段はオン状態とされ、第３期間経過後の期間であって、駆動トランジスタのゲートの電位に応じた駆動電流が発光素子に供給される第４期間（図３および図９に示す発光期間ＰEL）において、第１乃至第３のスイッチング手段はオフ状態とされることを特徴とする。
【００１１】
以上の態様によれば、第１期間において、駆動トランジスタのゲートが電気的にフローティング状態とされたうえで第１電極に第１の電位が供給され、第２電極の電位が駆動トランジスタをオン状態に遷移させることができる電位に変化する。また、本発明の態様においては、発光素子に駆動電流が供給される期間は第１期間よりも後の第４期間のみである。従って、本発明の態様によれば、ダイオード接続の前段階において駆動電流が発光素子に供給されることはないうえ、駆動トランジスタを確実にオン状態にすることができる。  
また、本発明の態様によれば、図１７に示す構成のように、本来発光させない期間においてＯＬＥＤ素子が発光することはないから、最も暗い階調である黒がＯＬＥＤ素子に対して指定された場合において、黒を正確に表示できる。従って、図１７に示す構成に比べて画像のコントラストを向上させることができる。
本発明の態様によれば、最も暗い階調である黒を正確に表示することができるから、画像のコントラストを向上させることができる。
【００１２】
本発明の具体的な態様において、駆動トランジスタはＰチャネル型のトランジスタであって、第１の電位は、データ電位の最小値よりも低い電位に設定され、駆動トランジスタから発光素子へ至る電流経路上には、駆動電流を発光素子へ供給するか否かを切り替える第４のスイッチング手段（例えば図２に示すトランジスタ２１０）が設けられ、第１乃至第３の期間において、第４のスイッチング手段はオフ状態とされ、第４の期間において、第４のスイッチング手段はオン状態とされる。
【００１３】
また、本発明の具体的な態様において、駆動トランジスタはＮチャネル型のトランジスタであって、第１の電位は、データ電位の最大値よりも高い電位に設定され、駆動トランジスタから発光素子に至る電流経路から分岐した電流経路上には、駆動電流が発光素子へ供給されないようにバイパスするか否かを切り替えるスイッチング手段であって、第１のスイッチング手段がオン状態にあるときにオン状態となり、第１のスイッチング手段がオフ状態にあるときにオフ状態となる第５のスイッチング手段（例えば図８に示すトランジスタ３５０）が設けられ、電源電位が供給される電源線から駆動トランジスタのドレインに至る経路上には、電源電位を駆動トランジスタに供給するか否かを切り替える第６のスイッチング手段（例えば図８に示すトランジスタ３１０）が設けられ、第１乃至第３期間において、第６のスイッチング手段はオフ状態とされ、第４期間において、第６のスイッチング手段はオン状態とされる。
【００１４】
本発明に係る発光装置は各種の電子機器に利用される。この電子機器の典型例は、発光装置を表示装置として利用した機器である。この種の機器としては、パーソナルコンピュータや携帯電話機などがある。もっとも、本発明に係る発光装置の用途は画像の表示に限定されない。例えば、光線の照射によって感光体ドラムなどの像担持体に潜像を形成する構成の画像形成装置（印刷装置）においては、像担持体を露光する手段（いわゆる露光ヘッド）として本発明の発光装置を採用することもできる。
【発明を実施するための最良の形態】
【００１５】
＜Ａ：第１実施形態＞
[発光装置の構成]
図１は、本実施形態に係る発光装置１０の構成を示すブロック図である。この発光装置１０は、画像を表示するための手段として各種の電子機器に採用される装置であり、複数の画素回路Ｐが面状に配列された画素アレイ部１００と、各画素回路Ｐを駆動する走査線駆動回路２０およびデータ線駆動回路２２と、発光装置１０で利用される各種電位を生成する電位生成部２４と、制御回路３０と、を有する。なお、図１においては、走査線駆動回路２０とデータ線駆動回路２２と電位生成部２４とが別個の回路として図示されているが、これらの回路の一部または全部が単一の回路とされた構成も採用される。
【００１６】
図１に示すように、画素アレイ部１００には、Ｘ方向に延在するｍ本の走査線１０２と、各走査線１０２と対をなしてＸ方向に延在するｍ本の給電線１０４と、Ｘ方向に直交するＹ方向に延在するｎ本のデータ線１０６とが設けられる（ｍおよびｎは自然数）。各画素回路Ｐは、走査線１０２および給電線１０４の対とデータ線１０６との交差に対応する位置に配置される。従って、これらの画素回路Ｐは縦ｍ行×横ｎ列のマトリクス状に配列する。図１においては、走査線１０２と給電線１０４とがＸ方向に延在しているが、本実施形態では、図２に示すように、第１の制御線１１０、第２の制御線１２０、発光制御線１３０が行毎にＸ方向に延在する。
【００１７】
図１に示す走査線駆動回路２０は、複数の画素回路Ｐを水平走査期間ごとに行単位で選択するための回路である。走査線駆動回路２０は、１水平走査期間ごとに１行ずつ走査線１０２を選択するとともに、この選択に同期した各種制御信号を、図２に示す第１制御線１１０、第２制御線１２０、発光制御線１３０にそれぞれ供給する。説明の便宜上、第ｉ行目（ｉは１≦ｉ≦ｍを満たす整数）の走査線１０２に供給される走査信号をGＷＲＴ[ｉ]と表記する。同様に、第ｉ行目の第１の制御線１１０に供給される第１の制御信号をＧＩＮＩ１[ｉ]と表記し、第ｉ行目の第２の制御線１２０に供給される第２の制御信号をＧＩＮＩ２[ｉ]と表記する。発光制御線１３０には、各画素回路Ｐの発光素子１１が実際に発光する期間を規定する発光制御信号が供給され、第ｉ行目の発光制御線１３０に供給される発光制御信号をＧＥＬ[ｉ]と表記する。
【００１８】
再び、図１を参照しながら説明する。データ線駆動回路２２は、各水平走査期間で走査線駆動回路２０が選択した走査線１０２に対応する１行分のｎ個の画素回路Ｐの各々に対応するデータ電位ＶＤ[１]ないしＶＤ[ｎ]を生成して各データ線１０６に出力する。第ｉ行（ｉは１≦ｉ≦ｍを満たす整数）が選択される水平走査期間において第ｊ列目（ｊは１≦ｊ≦ｎを満たす整数）のデータ線１０６に出力されるデータ電位ＶＤ[ｊ]は、第ｉ行の第ｊ列目に位置する画素回路Ｐに対して指定された階調に対応する電位となる。
【００１９】
電位生成部２４は、電源の高位側の電位ＶＥＬ（以下「電源電位ＶＥＬ」という）および低位側の電位ＧＮＤ（以下「接地電位ＧＮＤ」という）と、電位ＶＳＴとを生成する。電位生成部２４は、走査線駆動回路２０による走査線１２の選択に同期して、各給電線１０４に電位ＶＳＴを供給する。説明の便宜上、第ｉ行目の給電線１０４に供給される電位をＶＳＴ[ｉ]と表記する。また、電源電位ＶＥＬおよび接地電位ＧＮＤは総ての画素回路Ｐに共通に供給される。
【００２０】
制御回路３０は、走査線駆動回路２０、データ線駆動回路２２、電位生成部２４に、それぞれクロック信号（図示省略）などを供給してこれらの回路を制御するとともに、データ線駆動回路２２に、画素アレイ部１００における各画素回路Ｐの１フレーム毎の階調を規定する画像データを供給する。
【００２１】
次に、図２を参照して、各画素回路Ｐの構成を説明する。同図においては、第ｉ行の第ｊ列目に位置するひとつの画素回路Ｐのみを図示しているが、その他の画素回路Ｐも同様の構成である。同図に示すように、画素回路Ｐは、Ｐチャネル型の駆動トランジスタ２００と、スイッチング素子として機能するＰチャネル型のトランジスタ２１０、２２０、２３０、２４０と、容量素子ＣｈおよびＣｃと、発光素子１１と、を有する。
発光素子１１は、陽極と陰極との間に有機ＥＬ材料の発光層を介在させたＯＬＥＤ素子であって、電源電位ＶＥＬが供給される電源線と接地電位ＧＮＤが供給される接地線との間に介挿される。
【００２２】
図２に示すように、電源線から発光素子１１の陽極に至る経路には駆動トランジスタ２００とトランジスタ２１０とが介挿される。駆動トランジスタ２００は、ゲートの電位ＶＧに応じた駆動電流Ｉｅｌを生成するための手段であり、そのソースが電源線に接続されるとともにドレインがトランジスタ２１０のソースに接続される。トランジスタ２１０は、駆動電流Ｉｅｌを発光素子１１に供給するか否かを切り替えるスイッチング素子であり、そのドレインが発光素子１１の陽極に接続されるとともにゲートが発光制御線１３０に接続される。発光制御信号ＧＥＬ[ｉ]がローレベルに遷移するとトランジスタ２１０がオン状態となって発光素子１１に駆動電流Ｉｅｌが供給される一方、発光制御信号ＧＥＬ[ｉ]がハイレベルに遷移するとトランジスタ２１０がオフ状態となって発光素子１１に対する駆動電流Ｉｅｌの供給が遮断される。なお、トランジスタ２１０は、駆動トランジスタ２００と電源線との間に介挿される態様であってもよい。
【００２３】
図２に示すように、駆動トランジスタ２００のゲートとドレインとの間にはトランジスタ２２０が介挿される。トランジスタ２２０は、駆動トランジスタ２００のゲートとドレインとの導通および非導通を切り替えるスイッチング素子であり、そのゲートは第２の制御線１２０に接続される。第２の制御信号ＧＩＮＩ２[ｉ]がローレベルに遷移するとトランジスタ２２０がオン状態となって駆動トランジスタ２００がダイオード接続される一方、第２の制御信号ＧＩＮＩ２[ｉ]がハイレベルに遷移するとトランジスタ２２０がオフ状態となって駆動トランジスタ２００のダイオード接続が解除される。
【００２４】
図２に示す容量Ｃｈの一方の電極は駆動トランジスタ２００のゲートに接続され、他方の電極は駆動トランジスタ２００のソースに接続される。また、図２に示す容量Ｃｃは、第１電極Ａと第２電極Ｂとを有し、第２電極Ｂは駆動トランジスタ２００のゲートに接続される。第１電極Ａとデータ線１０６との間にはトランジスタ２３０が介挿される。トランジスタ２３０は、第１電極Ａとデータ線１０６との導通および非導通を切り替えるスイッチング素子であり、そのゲートは走査線１０２に接続される。走査信号GＷＲＴ[ｉ]がローレベルに遷移するとトランジスタ２３０がオン状態となって第１電極Ａとデータ線１０６とが導通する一方、走査信号GＷＲＴ[ｉ]がハイレベルに遷移するとトランジスタ２３０がオフ状態となって第１電極Ａとデータ線１０６とが非導通となる。
【００２５】
図２に示すように、第１電極Ａと給電線１０４との間にはトランジスタ２４０が介挿される。トランジスタ２４０は、電位ＶＳＴ[ｉ]を第１電極Ａに供給するか否かを切り替えるスイッチング素子であり、そのゲートは第１の制御線１１０に接続される。第１の制御信号ＧＩＮＩ１[ｉ]がローレベルに遷移するとトランジスタ２４０がオン状態となってＶＳＴ[ｉ]が第１電極Ａに供給される一方、第１の制御信号ＧＩＮＩ１[ｉ]がハイレベルに遷移するとトランジスタ２４０がオフ状態となって第１電極Ａに対するＶＳＴ[ｉ]の供給が遮断される。
【００２６】
次に、図３を参照して、走査線駆動回路２０が生成する各信号、および、電位生成部２４が生成する電位ＶＳＴ[ｉ]の具体的な波形について説明する。図３に示すように、走査信号ＧＷＲＴ[１]ないしＧＷＲＴ[ｍ]は、水平走査期間（１Ｈ）ごとに順番にローレベルとなる。すなわち、水平走査信号ＧＷＲＴ[ｉ]は、垂直走査期間（１Ｖ）のうち第ｉ番目の水平走査期間においてローレベルを維持するとともにそれ以外の期間ではハイレベルを維持する。走査信号ＧＷＲＴ[ｉ]のローレベルへの遷移は第ｉ行の各画素回路Ｐの選択を意味する。以下では、走査信号ＧＷＲＴ[１]ないしＧＷＲＴ[ｍ]の各々がローレベルとなる期間（すなわち水平走査期間）を「書込期間ＰWRT」と表記する。なお、図３においては走査信号ＧＷＲＴ[ｉ]の立ち上がりとその次行の走査信号ＧＷＲＴ[ｉ＋１]の立ち下がりとを同時とした場合が例示されているが、走査信号ＧＷＲＴ[ｉ]の立ち上がりから所定の時間が経過したタイミングで次行の走査信号ＧＷＲＴ[ｉ＋１]が立ち下がる構成（つまり、各行の書込期間ＰWRTに間隔が設けられた構成）としてもよい。
【００２７】
図３に示すように、第１の制御信号ＧＩＮＩ１[ｉ]は、走査信号ＧＷＲＴ[ｉ]がローレベルとなる書込期間ＰWRTの直前の期間ＰINT（以下「初期化期間ＰINT」という）においてローレベルとなり、その他の期間においてはハイレベルを維持する。図３に示すように、初期化期間ＰINTは、リセット期間Ｐａとその直後の補償期間Ｐｂとに区分される。リセット期間Ｐａは駆動トランジスタ２００をオン状態に設定するための期間であり、補償期間Ｐｂは駆動トランジスタ２００のゲートの電位ＶＧをその閾値電圧Ｖｔｈに応じた電位に設定するための期間である。図３に示すように、第２の制御信号ＧＩＮＩ２[ｉ]は、リセット期間Ｐｂにおいてローレベルとなり、その他の期間においてはハイレベルを維持する。
【００２８】
図３に示すように、発光制御信号ＧＥＬ[ｉ]は、走査信号ＧＷＲＴ[ｉ]がローレベルとなる書込期間ＰWRTの経過後から、第１の制御信号ＧＩＮＩ１[ｉ]がローレベルとなる初期化期間ＰINTの開始前までの期間ＰEL（以下「発光期間ＰEL」という）においてローレベルとなり、それ以外の期間においてハイレベルとなる。また、図３に示すように、電位生成部２４で生成される電位ＶＳＴ[ｉ]は、補償期間Ｐｂ以外の期間において第１電位ＶＳＴ１に設定され、補償期間Ｐｂにおいて第１電位ＶＳＴ１よりも高い電位である第２電位ＶＳＴ２に設定される。本実施形態においては、各給電線１０４（各行）に供給される第１電位ＶＳＴ１および第２電位ＶＳＴ２の値は、同じ値に設定される。
【００２９】
[発光装置の動作]
次に、図４ないし図７を参照しながら画素回路Ｐの具体的な動作について説明する。以下では、第ｉ行に属する第ｊ列目の画素回路Ｐの動作を、リセット期間Ｐａと補償期間Ｐｂと書込期間ＰWRTと発光期間ＰELとに区分して説明する。
【００３０】
（ａ）リセット期間Ｐａ（初期化期間ＰINT）
リセット期間Ｐａにおいては、図３に示すように、第１の制御信号ＧＩＮＩ１[ｉ]がローレベルに遷移するとともに、走査信号ＧＷＲＴ[ｉ]、第２の制御信号ＧＩＮＩ２[ｉ]、発光制御信号ＧＥＬ[ｉ]はハイレベルを維持する。従って、図４に示すように、トランジスタ２４０がオン状態になり、トランジスタ２１０、２２０、２３０はオフ状態になる。図４の状態においては、トランジスタ２２０はオフ状態であり、駆動トランジスタ２００のゲートのインピーダンスは充分に高いから、駆動トランジスタ２００のゲートは電気的にフローティング状態となる。また、電位生成部２４で生成される電位ＶＳＴ[ｉ]は第１の電位ＶＳＴ１に設定される。すなわち、リセット期間Ｐａにおいては、駆動トランジスタ２００のゲートが電気的にフローティング状態にされたうえで、第１の電位ＶＳＴ１がトランジスタ２４０を介して第１電極Ａに供給される。本実施形態においては、第１の電位ＶＳＴ１は、各画素回路Ｐに供給されるデータ電位ＶＤがとり得る最小の値よりも低い電位であって、駆動トランジスタ２００をオン状態に遷移させることができる電位に設定される。この第１の電位ＶＳＴ１が第１電極Ａに供給されることで、容量素子Ｃｃの第２電極Ｂの電位（駆動トランジスタ２００のゲートの電位ＶＧ）は、電源電位ＶＥＬと駆動トランジスタ２００の閾値電圧Ｖｔｈとの差分値「ＶＥＬ−Ｖｔｈ」以下の電位に変化し、駆動トランジスタ２００がオン状態に遷移する。
【００３１】
（ｂ）補償期間Ｐｂ（初期化期間ＰINT）
補償期間Ｐｂにおいては、図３に示すように、第２の制御信号ＧＩＮＩ２[ｉ]がローレベルに遷移する一方、その他の信号はリセット期間Ｐａと同じレベルを維持する。従って、補償期間Ｐｂにおいては、図５に示すように、図４に示す状態からトランジスタ２２０がオン状態になり、駆動トランジスタ２００がダイオード接続される。駆動トランジスタ２００のゲートには、トランジスタ２２０を介して電源電位ＶＥＬが供給され、ゲートの電位ＶＧは電源電位ＶＥＬと閾値電圧Ｖｔｈとの差分値「ＶＥＬ−Ｖｔｈ」に近づく。
【００３２】
また、図３に示すように、補償期間Ｐｂにおいては、電位生成部２４で生成される電位ＶＳＴは第２の電位ＶＳＴ２に設定される。本実施形態においては、第２の電位ＶＳＴ２は、第１の電位ＶＳＴ１より高い電位であって、各画素回路Ｐに供給されるデータ電位ＶＤがとり得る最大の値と最小の値との間の範囲内にある電位である。補償期間Ｐｂにおいては、この第２の電位ＶＳＴ２がトランジスタ２４０を介して第１電極Ａへ供給されるから、第１電極Ａの電位は第１の電位ＶＳＴ１から第２の電位ＶＳＴ２へと引き上げられる。容量素子Ｃｃの第１電極Ａと第２電極Ｂとの間には、「ＶＥＬ−Ｖｔｈ−ＶＳＴ２」で表される電圧が保持される。
【００３３】
（ｃ）書込期間ＰWRT
書込期間ＰWRTにおいては、図３に示すように走査信号ＧＷＲＴ[ｉ]はローレベルに遷移する一方、第１の制御信号ＧＩＮＩ１[ｉ]および第２の制御信号ＧＩＮＩ２[ｉ]はハイレベルに遷移する。また、発光制御信号ＧＥＬ[ｉ]はハイレベルを維持する。従って、図６に示すように、図５に示す状態からトランジスタ２２０と２４０とはオフ状態になり、トランジスタ２３０がオン状態になる。これにより、データ線１０６と第１電極Aとが導通し、第ｉ行第ｊ列の画素回路Ｐにおける発光素子１１の階調に応じたデータ電位ＶＤ[ｊ]が第１電極Ａに供給される。これにより、容量素子Ｃｃの第１電極Ａは、第２の電位ＶＳＴ２からデータ電位ＶＤ[ｊ]に変化する。
【００３４】
図６に示すように、書込期間ＰWRTにおいて、トランジスタ２２０はオフ状態に遷移するから、駆動トランジスタ２００のゲートは電気的にフローティング状態となる。従って、第１電極Aが、補償期間Ｐｂにおける第２電位ＶＳＴ２からデータ電位ＶＤ[ｊ]まで変化量△Ｖ（＝ＶＳＴ２−ＶＤ[ｊ]）だけ変動すると、第２電極Ｂの電位（駆動トランジスタ２００のゲートの電位ＶＧ）は容量結合によってその直前の電位（ＶＥＬ−Ｖｔｈ）から変動する。容量素子Ｃｃの容量値を「Ｃ０」とし、容量素子Ｃｈの容量値を「Ｃ１」とすると、第２電極Ｂの電位の変化分は「△Ｖ・Ｃ０／（Ｃ０＋Ｃ１）」と表現される。従って、書込期間ＰWRTにおいて、駆動トランジスタ２００のゲートの電位ＶＧは以下の式（１）で表現されるレベルに安定する。
ＶＧ＝ＶＥＬ−Ｖｔｈ−ｋ×△Ｖ      ・・・（１）
ただし、ｋ＝Ｃ０／（Ｃ０＋Ｃ１）
【００３５】
（ｄ）発光期間ＰEL
発光期間ＰELにおいては、図３に示すように、発光制御信号ＧＥＬ[ｉ]がローレベルに遷移する一方、走査信号ＧＷＲＴ[ｉ]はハイレベルに遷移する。また、第１の制御信号ＧＩＮＩ１[ｉ]および第２の制御信号ＧＩＮＩ２[ｉ]はハイレベルを維持する。従って、図７に示すように、図６に示す状態からトランジスタ２１０がオン状態になり、トランジスタ２３０がオフ状態になる。トランジスタ２１０がオン状態になることで、駆動トランジスタ２００から発光素子１１に至る駆動電流Ｉｅｌの経路が形成され、駆動トランジスタ２００のゲートの電位ＶＧに応じた駆動電流Ｉｅｌがトランジスタ２１０を介して発光素子１１へ供給される。この駆動電流Ｉｅｌの供給によって発光素子１１はデータ電位ＶＤ[ｊ]に応じた輝度に発光する。
【００３６】
発光期間ＰELにおいて発光素子１１に流れる駆動電流Ｉｅｌは、以下の式（２）で表現される。ただし、「β」は駆動トランジスタ２００の利得係数であり、「Ｖｇｓ」は駆動トランジスタ２００のゲート・ソース間の電圧である。
Ｉｅｌ＝（β／２）（Ｖｇｓ−Ｖｔｈ）２
＝（β／２）（ＶＥＬ−ＶＧ−Ｖｔｈ）２      ・・・（２）
式（１）の代入によって、式（２）は以下のように変形される。
Ｉｅｌ＝（β／２）｛ＶＥＬ−（ＶＥＬ−Ｖｔｈ−ｋ×△Ｖ）−Ｖｔｈ｝２
＝（β／２）（ｋ×△Ｖ）２ 
つまり、発光素子１１に供給される駆動電流Ｉｅｌは、データ電位ＶＤ[ｊ]と第２の電位ＶＳＴ２との差分値△Ｖ（△Ｖ＝ＶＳＴ２−ＶＤ[ｊ]）によって決定され、駆動トランジスタ２００の閾値電圧Ｖｔｈには依存しない。
【００３７】
式（２）の変形から理解されるように、データ電位ＶＤ[ｊ]と第２の電位ＶＳＴ２との差分値△Ｖが大きいほど駆動電流Iｅｌの電流値が大きくなって、発光素子１１の発光強度が大きくなる。反対に、差分値△Ｖが小さいほど駆動電流Iｅｌの電流値が小さくなって、発光素子１１の発光強度が小さくなる。  
本実施形態においては、データ電位ＶＤ[ｊ]の値は、画素回路Ｐの発光素子１１に対して明るい階調を指定するにつれて第２の電位ＶＳＴ２の値よりも大きく低下し、暗い階調を指定するにつれて第２の電位ＶＳＴ２の値に近づくように設定される。
ここで、第２の電位ＶＳＴ２の値とデータ電位ＶＤ[ｊ]の値とが等しい場合は、△Ｖ（＝ＶＳＴ２−ＶＤ[ｊ]）は０となり、駆動電流Ｉｅｌは発光素子１１に供給されない。また、第２の電位ＶＳＴ２の値がデータ電位ＶＤ[ｊ]の値より小さい場合は、△Ｖの値は負の値となるから、式（１）から理解されるように、この場合における駆動トランジスタ２００のゲートの電位ＶＧは、「ＶＥＬ−Ｖｔｈ」よりもｋ×△Ｖだけ高い電位となる。従って、駆動トランジスタ２００のゲート・ソース間の電圧Ｖｇｓ（＝ＶＥＬ−ＶＧ）は閾値電圧Ｖｔｈよりもｋ×△Ｖだけ低い電圧となるから、駆動トランジスタ２００はオン状態にならず、発光素子１１には駆動電流Ｉｅｌが供給されない。
本実施形態においては、最も暗い階調である黒が発光素子１１に対して指定された場合は、データ電位ＶＤ[ｊ]の値が第２の電位ＶＳＴ２の値以上に設定される。
【００３８】
ところで、本実施形態においては、補償期間Ｐｂにおいて第１電極Ａの電位を第１の電位ＶＳＴ１から第２の電位ＶＳＴ２に引き上げているが、この理由について説明する。
いま、書込期間ＰWRTにおいて、データ電位ＶＤ[ｊ]が供給される直前の第１電極Ａの電位が第１の電位ＶＳＴ１である態様を想定する。第１の電位ＶＳＴ１の値はデータ電位ＶＤの最小値よりも小さいため、この態様においては、書込期間ＰWRTにおける第１電極Ａの電位の変化量△Ｖ（＝ＶＳＴ１−ＶＤ[ｊ]）は、画素回路Ｐの発光素子１１が如何なる階調に指定されても負の値となる。そうすると、駆動トランジスタ２００のゲート・ソース間の電圧Ｖｇｓ（＝ＶＥＬ−ＶＧ）は閾値電圧Ｖｔｈよりも低い電圧となり、駆動トランジスタ２００はオン状態に遷移しない。すなわち、画素回路Ｐの発光素子１１が如何なる階調に指定されても発光素子１１には駆動電流Ｉｅｌが供給されないことになってしまう。そのため、本実施形態においては、書込期間ＰWRTより前の期間である補償期間Ｐｂにおいて、第１電極Ａの電位を第１の電位ＶＳＴ１から第２の電位ＶＳＴ２に引き上げている。
【００３９】
ここで、第２の電位ＶＳＴ２は、データ電位ＶＤがとり得る最大の値と最小の値との間の範囲内に設定されるが、この理由について以下に説明する。
第２の電位ＶＳＴ２の値を、データ電位ＶＤがとり得る最小の値よりも大きくする理由については、書込期間ＰWRTにおいてデータ電位ＶＤ[ｊ]が供給される直前の第１電極Ａの電位を第１の電位ＶＳＴ１とすべきでない理由と同様である。
次に、第２の電位ＶＳＴ２の値が、データ電位ＶＤがとり得る最大の値よりも大きい態様を想定する。この態様においては、書込期間ＰWRTにおける第１電極Ａの電位の変化量△Ｖ（＝ＶＳＴ２−ＶＤ[ｊ]）は、画素回路Ｐの発光素子１１が如何なる階調に指定されても正の値となるから、式（１）からも理解されるように、書込期間ＰWRTにおける駆動トランジスタ２００のゲートの電位ＶＧは必ず「ＶＥＬ―Ｖｔｈ」よりも低くなる。そうすると、書込期間ＰWRTにおける駆動トランジスタ２００のゲート・ソース間の電圧Ｖｇｓ（＝ＶＥＬ−ＶＧ）は、発光素子１１が如何なる階調が指定されても閾値電圧Ｖｔｈよりも高い電圧となる。従って、発光素子１１に対して黒が指定された場合であっても、駆動トランジスタ２００は必ずオン状態になり、発光素子１１に駆動電流Ｉｅｌが供給されてしまう。その結果、黒を正確に表示することができない。
そのため、第２の電位ＶＳＴ２は、データ電位ＶＤがとり得る最大の値と最小の値との間の範囲内に設定されることが好適である。このようにすることで、発光素子１１に対して、黒以外の階調が指定された場合には、駆動トランジスタ２００は確実にオン状態となり、発光素子１１はデータ電位ＶＤ[ｊ]に応じた輝度に発光することができる。また、発光素子１１に対して黒が指定された場合には、駆動トランジスタ２００は確実にオフ状態となるから、黒を正確に表示することができる。
【００４０】
以上に説明したように、本実施形態においては、リセット期間Ｐａにおいて、駆動トランジスタ２００のゲートが電気的にフローティング状態とされたうえで、データ電位ＶＤの最小値よりも小さい第１の電位ＶＳＴ１が第１電極Ａに供給されることにより、第２電極Ｂの電位が、駆動トランジスタ２００をオン状態に遷移させることができる電位に変化する。また、本実施形態においては、発光素子１１に駆動電流Iｅｌが供給されるのは発光期間ＰELにおいてのみであり、図１７に示す構成（以下「従来例」という）のようにリセット期間Ｐａにおいて駆動電流Ｉｅｌが発光素子１１に供給されることはない。すなわち、本実施形態の構成によれば、従来例のように、リセット期間Ｐａにおいて発光素子１１に駆動電流Ｉｅｌが供給されることはないうえ、確実に駆動トランジスタ２００をオン状態にできる。また、本実施形態の構成によれば、発光素子１１に対して黒が指定された場合にも、リセット期間Ｐａにおいて駆動電流Ｉｅｌが発光素子１１に供給されることはないから、黒を正確に表示できる。従って、画像のコントラストを向上させることができる。
以上のように、本実施形態の構成によれば、従来例と比べて発光素子１１における消費電流量を低減できるとともに、コントラストの低下も抑制できる。
【００４１】
＜Ｂ：第２実施形態＞
上述の第１実施形態においては、画素回路Ｐに含まれる各トランジスタは、総てＰチャネル型のトランジスタで構成される。これに対して、本実施形態においては、画素回路Ｐに含まれる各トランジスタは、総てＮチャネル型のトランジスタで構成される点で上述の第１実施形態と相違する。画素回路Ｐ以外の構成については、上述の第１実施形態の構成と同じであるため、重複する部分については説明を省略する。
【００４２】
図８を参照して、各画素回路Ｐの構成を説明する。同図に示すように、画素回路Ｐは、Ｎチャネル型の駆動トランジスタ３００と、スイッチング素子として機能するＮチャネル型のトランジスタ３１０、３２０、３３０、３４０、３５０と、容量素子Ｃｈ２およびＣｃ２と、発光素子１２と、を有する。第１実施形態と同様に、発光素子１２はＯＬＥＤ素子であって、電源電位ＶＥＬが供給される電源線と接地電位ＧＮＤが供給される接地線との間に介挿される。
【００４３】
図８に示すように、電源線から発光素子１２の陽極に至る経路にはトランジスタ３１０と駆動トランジスタ３００とが介挿される。トランジスタ３１０は、電源電位ＶＥＬを駆動トランジスタ３００に供給するか否かを切り替えるスイッチング素子であり、そのドレインは電源線に接続されるとともに、そのソースは駆動トランジスタ３００のドレインに接続される。また。トランジスタ３１０のゲートは、発光制御線１３０に接続される。発光制御信号ＧＥＬ[ｉ]がハイレベルに遷移するとトランジスタ３１０がオン状態となって電源電位ＶＥＬが駆動トランジスタ３００に供給される一方、発光制御信号ＧＥＬ[ｉ]がローレベルに遷移するとトランジスタ３１０がオフ状態となって駆動トランジスタ３００に対する電源電位ＶＥＬの供給が遮断される。
【００４４】
駆動トランジスタ３００は、駆動電流Ｉｅｌを生成するための手段であり、そのソースは発光素子１２の陽極に接続される。駆動トランジスタ３００のゲートとドレインとの間にはトランジスタ３２０が介挿される。トランジスタ３２０は駆動トランジスタ３００のゲートとドレインとの導通および非導通を切り替えるスイッチング素子であり、そのゲートは第２の制御線１２０に接続される。第２の制御信号ＧＩＮＩ２[ｉ]がハイレベルに遷移するとトランジスタ３２０がオン状態となって駆動トランジスタ３００がダイオード接続される一方、第２の制御信号ＧＩＮＩ２[ｉ]がローレベルに遷移するとトランジスタ３２０がオフ状態となって駆動トランジスタ３００のダイオード接続が解除される。
【００４５】
図８に示す容量Ｃｈ２の一方の電極は駆動トランジスタ３００のゲートに接続され、他方の電極は駆動トランジスタ３００のソースに接続される。また、図８に示す容量Ｃｃ２は、第１電極Ａ２と第２電極Ｂ２とを有し、第２電極Ｂ２は駆動トランジスタ３００のゲートに接続される。第１電極Ａ２とデータ線１０６との間にはトランジスタ３３０が介挿される。トランジスタ３３０は、第１電極Ａ２とデータ線１０６との導通および非導通を切り替えるスイッチング素子であり、そのゲートは走査線１０２に接続される。走査信号GＷＲＴ[ｉ]がハイレベルに遷移するとトランジスタ３３０がオン状態となって第１電極Ａ２とデータ線１０６とが導通する一方、走査信号ＧＷＲＴ[ｉ]がローレベルに遷移するとトランジスタ３３０がオフ状態となって第１電極Ａ２とデータ線１０６とが非導通となる。
【００４６】
また、第１電極Ａ２と給電線１０４との間にはトランジスタ３４０が介挿される。トランジスタ３４０は、電位ＶＳＴ[ｉ]を第１電極Ａ２に供給するか否かを切り替えるスイッチング素子であり、そのゲートは第１の制御線１１０に接続される。第１の制御信号ＧＩＮＩ１[ｉ]がハイレベルに遷移するとトランジスタ３４０がオン状態となってＶＳＴ[ｉ]が第１電極Ａ２に供給される一方、第１の制御信号ＧＩＮＩ１[ｉ]がローレベルに遷移するとトランジスタ３４０がオフ状態となって第１電極Ａ２に対するＶＳＴ[ｉ]の供給が遮断される。
【００４７】
また、図８に示すように、駆動トランジスタ３００から発光素子１２の陽極に至る電流経路上のＺ点から分岐して発光素子１２の陰極に接続されるバイパスラインＢ上には、トランジスタ３５０が設けられる。トランジスタ３５０は、駆動電流Ｉｅｌが発光素子１２に供給されないようにバイパスするか否かを切り替えるスイッチング素子であり、そのドレインはＺ点に接続されるとともに、そのソースは発光素子１２の陰極に接続される。また、そのゲートは第１の制御線１１０に接続されるから、トランジスタ３５０のスイッチング動作は、トランジスタ３４０のスイッチング動作と連動する。第１の制御信号ＧＩＮＩ１[ｉ]がハイレベルに遷移するとトランジスタ３５０がオン状態となって駆動電流Ｉｅｌは発光素子１２に供給されずにバイパスラインＢを介して接地線に流れる一方、第１の制御信号ＧＩＮＩ１[ｉ]がローレベルに遷移するとトランジスタ３５０がオフ状態となって駆動電流Ｉｅｌは発光素子１２に供給される。
【００４８】
次に、図９を参照して、走査線駆動回路２２が生成する各信号、および、電位生成部２４が生成する電位ＶＳＴ[ｉ]の具体的な波形について説明する。図９に示すように、走査信号ＧＷＲＴ[１]ないしＧＷＲＴ[ｍ]は、水平走査期間（１Ｈ）ごとに順番にハイレベルとなる。走査信号ＧＷＲＴ[ｉ]のハイレベルへの遷移は第ｉ行の各画素回路Ｐの選択を意味する。図９に示すように、第１の制御信号ＧＩＮＩ１[ｉ]は、初期化期間ＰINT（リセット期間Ｐａおよび補償期間Ｐｂ）においてハイレベルとなり、その他の期間においてはローレベルを維持する。図９に示すように、第２の制御信号ＧＩＮＩ２[ｉ]は、リセット期間Ｐｂにおいてハイレベルとなり、その他の期間においてはローレベルを維持する。また、図９に示すように、発光制御信号ＧＥＬ[ｉ]は、発光期間ＰELにおいてハイレベルとなり、それ以外の期間においてローレベルとなる。
【００４９】
また、図９に示すように、電位生成部２４で生成される電位ＶＳＴ[ｉ]は、補償期間Ｐｂ以外の期間において第１電位ＶＳＴ１１に設定され、補償期間Ｐｂにおいて第１電位ＶＳＴ１１よりも低い電位である第２電位ＶＳＴ２２に設定される。
【００５０】
次に、図１０ないし図１３を参照しながら画素回路Ｐの具体的な動作について説明する。以下では、第１実施形態と同様に、第ｉ行に属する第ｊ列目の画素回路Ｐの動作を、リセット期間Ｐａと補償期間Ｐｂと書込期間ＰWRTと発光期間ＰELとに区分して説明する。
【００５１】
（ａ）リセット期間Ｐａ（初期化期間ＰINT）
リセット期間Ｐａにおいては、図９に示すように、第１の制御信号ＧＩＮＩ１[ｉ]がハイレベルに遷移するとともに、走査信号ＧＷＲＴ[ｉ]、第２の制御信号ＧＩＮＩ２[ｉ]、発光制御信号ＧＥＬ[ｉ]はローレベルを維持する。従って、図１０に示すように、トランジスタ３４０およびトランジスタ３５０がオン状態になり、トランジスタ３１０、３２０、３３０はオフ状態になる。図１０の状態においては、トランジスタ３２０はオフ状態であり、駆動トランジスタ３００のゲートのインピーダンスは充分に高いから、駆動トランジスタ３００のゲートは電気的にフローティング状態となる。また、電位生成部２４で生成される電位ＶＳＴ[ｉ]は第１の電位ＶＳＴ１１に設定される。すなわち、リセット期間Ｐａにおいては、駆動トランジスタ３００のゲートが電気的にフローティング状態にされたうえで、第１の電位ＶＳＴ１１がトランジスタ３４０を介して容量素子Ｃｃ２の第１電極Ａ２に供給される。第１の電位ＶＳＴ１１は、各画素回路Ｐに供給されるデータ電位ＶＤがとり得る最大の値よりも高い電位であって、駆動トランジスタ３００をオン状態に遷移させることができる電位に設定される。すなわち、この第１の電位ＶＳＴ１１が第１電極Ａ２に供給されることで、容量素子Ｃｃ２の第２電極Ｂ２の電位（駆動トランジスタ３００のゲートの電位ＶＧ）は、駆動トランジスタ３００の閾値電圧Ｖｔｈと接地電位ＧＮＤとの合計値「Ｖｔｈ＋ＧＮＤ」以上の電位に変化する。従って、リセット期間Ｐａにおいて、駆動トランジスタ３００がオン状態に遷移する。
【００５２】
（ｂ）補償期間Ｐｂ（初期化期間ＰINT）
補償期間Ｐｂにおいては、図９に示すように、第２の制御信号ＧＩＮＩ２[ｉ]がハイレベルに遷移する一方、その他の信号はリセット期間Ｐａと同じレベルを維持する。従って、補償期間Ｐｂにおいては、図１１に示すように、図１０に示す状態からトランジスタ３２０がオン状態になって駆動トランジスタ３００がダイオード接続され、駆動トランジスタ３００のゲートの電位ＶＧは閾値電圧Ｖｔｈと接地電位ＧＮＤとの合計値「Ｖｔｈ＋ＧＮＤ」に近づく。図１１に示す状態においては、駆動トランジスタ３００のゲートの電位ＶＧに応じた電流がトランジスタ３５０を介して接地線へ流れるが、この電流は発光素子１２をバイパスして流れるから、発光素子１２が発光することはない。
【００５３】
また、図９に示すように、補償期間Ｐｂにおいては、電位生成部２４で生成される電位ＶＳＴ[ｉ]は第２の電位ＶＳＴ２２に設定される。本実施形態においては、第２の電位ＶＳＴ２２は、第１の電位ＶＳＴ１１より低い電位であって、各画素回路Ｐに供給されるデータ電位ＶＤがとり得る最大の値と最小の値との間の範囲内にある電位である。補償期間Ｐｂにおいては、この第２の電位ＶＳＴ２２がトランジスタ３４０を介して第１電極Ａ２へ供給されるから、第１電極Ａ２の電位は第１の電位ＶＳＴ１１から第２の電位ＶＳＴ２２へと引き下げられる。
【００５４】
（ｃ）書込期間ＰWRT
書込期間ＰWRTにおいては、図９に示すように走査信号ＧＷＲＴ[ｉ]はハイレベルに遷移する一方、第１の制御信号ＧＩＮＩ１[ｉ]および第２の制御信号ＧＩＮＩ２[ｉ]はローレベルに遷移する。また、発光制御信号ＧＥＬ[ｉ]はローレベルを維持する。従って、図１２に示すように、図１１に示す状態からトランジスタ３２０と３４０と３５０とがオフ状態になり、トランジスタ３３０がオン状態になる。これにより、データ線１０６と第１電極Ａ２とが導通し、発光素子１２の階調に応じたデータ電位ＶＤ[ｊ]が第１電極Ａ２に供給される。これにより、容量素子Ｃｃ２の第１電極Ａ２は、第２の電位ＶＳＴ２２からデータ電位ＶＤ[ｊ]に変化する。
【００５５】
図１２に示すように、書込期間ＰWRTにおいて、トランジスタ３２０はオフ状態に遷移するから、駆動トランジスタ３００のゲートは電気的にフローティング状態となる。従って、第１電極Ａ２が、補償期間Ｐｂにおける第２電位ＶＳＴ２２からデータ電位ＶＤ[ｊ]まで変化量△Ｖ（＝ＶＳＴ２２−ＶＤ[ｊ]）だけ変動すると、第２電極Ｂ２の電位（駆動トランジスタ３００のゲート電位ＶＧ）は容量結合によってその直前の電位（Ｖｔｈ＋ＧＮＤ）から変動する。容量素子Ｃｃ２の容量値を「Ｃ２」とし、容量素子Ｃｈ２の容量値を「Ｃ３」とすると、第２電極Ｂ２の電位の変化分は「△Ｖ・Ｃ２／（Ｃ２＋Ｃ３）」と表現される。従って、書込期間ＰWRTにおいて、駆動トランジスタ３００のゲートの電位ＶＧは以下の式（３）で表現されるレベルに安定する。
ＶＧ＝Ｖｔｈ＋ＧＮＤ−ｋ×△Ｖ      ・・・（３）
ただし、ｋ＝Ｃ２／（Ｃ２＋Ｃ３）
【００５６】
（ｄ）発光期間ＰEL
発光期間ＰELにおいては、図９に示すように、発光制御信号ＧＥＬ[ｉ]がハイレベルに遷移する一方、走査信号ＧＷＲＴ[ｉ]はローレベルに遷移する。また、第１の制御信号ＧＩＮＩ１[ｉ]および第２の制御信号ＧＩＮＩ２[ｉ]はローレベルを維持する。従って、図１３に示すように、図１２に示す状態からトランジスタ３１０がオン状態になり、トランジスタ３３０がオフ状態になる。図１３に示すように、トランジスタ３１０がオン状態であって、トランジスタ３５０がオフ状態であるから、電源線から駆動トランジスタ３００を介して発光素子１２に至る駆動電流Ｉｅｌの経路が形成され、駆動トランジスタ３００のゲートの電位ＶＧに応じた駆動電流Ｉｅｌが発光素子１２へ供給される。
【００５７】
発光期間ＰELにおいて発光素子１２に流れる駆動電流Ｉｅｌは、以下の式（４）で表現される。
Ｉｅｌ＝（β／２）（Ｖｇｓ−Ｖｔｈ）２
＝（β／２）（ＶＧ−ＧＮＤ−Ｖｔｈ）２      ・・・（４）
式（１）の代入によって、式（４）は以下のように変形される。
Ｉｅｌ＝（β／２）｛（Ｖｔｈ＋ＧＮＤ−ｋ×△Ｖ）−ＧＮＤ−Ｖｔｈ｝２
＝（β／２）（−ｋ×△Ｖ）２ 
つまり、発光素子１２に供給される駆動電流Ｉｅｌは、第１実施形態と同様に、駆動トランジスタ３００の閾値電圧Ｖｔｈには依存しない。
【００５８】
本実施形態においては、データ電位ＶＤ[ｊ]の値は、画素回路Ｐの発光素子１２に対して明るい階調を指定するにつれて第２の電位ＶＳＴ２２の値よりも大きく増加し、暗い階調を指定するにつれて第２の電位ＶＳＴ２の値に近づくように設定される。
ここで、第２の電位ＶＳＴ２の値とデータ電位ＶＤ[ｊ]の値とが等しい場合は、△Ｖ（＝ＶＳＴ２２−ＶＤ[ｊ]）は０となり、駆動電流Ｉｅｌは発光素子１２に供給されない。また、第２の電位ＶＳＴ２２の値がデータ電位ＶＤ[ｊ]の値より大きい場合は、△Ｖの値は正の値となるから、式（３）から理解されるように、この場合における駆動トランジスタ２００のゲートの電位ＶＧは、「Ｖｔｈ＋ＧＮＤ」よりもｋ×△Ｖだけ低い電位となる。従って、駆動トランジスタ２００のゲート・ソース間の電圧Ｖｇｓ（＝ＶＧ−ＧＮＤ）は閾値電圧Ｖｔｈよりもｋ×△Ｖだけ低い電圧となるから、駆動トランジスタ３００はオン状態にならず、発光素子１２には駆動電流Ｉｅｌが供給されない。
本実施形態においては、最も暗い階調である黒が発光素子１２に対して指定された場合には、データ電位[ｊ]の値が第２の電位ＶＳＴ２の値以下に設定される。
【００５９】
ところで、本実施形態においては、補償期間Ｐｂにおいて第１電極Ａ２の電位を第１の電位ＶＳＴ１１から第２の電位ＶＳＴ２２に引き下げているが、この理由について説明する。いま、書込期間ＰWRTにおいて、データ電位ＶＤ[ｊ]が供給される直前の第１電極Ａ２の電位が第１の電位ＶＳＴ１１である態様を想定する。第１の電位ＶＳＴ１１の値はデータ電位ＶＤの最大値よりも大きいため、この態様においては、書込期間ＰWRTにおける第１電極Ａ２の電位の変化量△Ｖ（＝ＶＳＴ１１−ＶＤ[ｊ]）は、画素回路Ｐの発光素子１１が如何なる階調に指定されても正の値となる。そうすると、駆動トランジスタ３００のゲート・ソース間の電圧Ｖｇｓ（＝ＶＧ−ＧＮＤ）は閾値電圧Ｖｔｈよりも低い電圧となり、駆動トランジスタ２００はオン状態に遷移しない。すなわち、画素回路Ｐの発光素子１２が如何なる階調に指定されても発光素子１２に駆動電流Ｉｅｌが供給されないことになり、好ましくない。そのため、本実施形態においては、補償期間Ｐｂにおいて、第１電極Ａ２の電位を第１の電位ＶＳＴ１１から第２の電位ＶＳＴ２２に引き下げている。
【００６０】
ここで、第２の電位ＶＳＴ２２は、データ電位ＶＤがとり得る最大の値と最小の値との間の範囲内に設定されるが、この理由について以下に説明する。
第２の電位ＶＳＴ２の値を、データ電位ＶＤがとり得る最大の値よりも小さくする理由については、書込期間ＰWRTにおいてデータ電位ＶＤ[ｊ]が供給される直前の第１電極Ａ２の電位を第１の電位ＶＳＴ１１とすべきでない理由と同様である。
次に、第２の電位ＶＳＴ２２の値が、データ電位ＶＤがとり得る最小の値よりも小さい態様を想定する。この態様においては、書込期間ＰWRTにおける第１電極Ａの電位の変化量△Ｖ（＝ＶＳＴ２２−ＶＤ[ｊ]）は、画素回路Ｐの発光素子１２が如何なる階調に指定されても負の値となるから、式（３）からも理解されるように、書込期間ＰWRTにおける駆動トランジスタ３００のゲートの電位ＶＧは必ず「Ｖｔｈ＋ＧＮＤ」よりも高くなる。そうすると、書込期間ＰWRTにおける駆動トランジスタ３００のゲート・ソース間の電圧Ｖｇｓ（＝ＶＧ−ＧＮＤ）は、発光素子１２が如何なる階調が指定されても閾値電圧Ｖｔｈよりも高い電圧となる。従って、発光素子１２に対して黒が指定された場合であっても、駆動トランジスタ３００は必ずオン状態になり、発光素子１２に駆動電流Ｉｅｌが供給されてしまう。その結果、黒を正確に表示することができない。
そのため、第２の電位ＶＳＴ２２は、データ電位ＶＤがとり得る最大の値と最小の値との間の範囲内に設定されることが好適である。このようにすることで、発光素子１２に対して、黒以外の階調が指定された場合には、駆動トランジスタ３００は確実にオン状態となり、発光素子１２はデータ電位ＶＤ[ｊ]に応じた輝度に発光することができる。また、発光素子１２に対して黒が指定された場合には、駆動トランジスタ３００は確実にオフ状態となるから、黒を正確に表示することができる。
【００６１】
以上に説明したように、本実施形態においては、リセット期間Ｐａにおいて、駆動トランジスタ３００が電気的にフローティング状態とされたうえで、データ電位ＶＤの最大値よりも大きい第１の電位ＶＳＴ１１が第１電極Ａ２に供給されることにより、第２電極Ｂ２の電位が、駆動トランジスタ３００をオン状態に遷移させることができる電位に変化する。また、本実施形態においては、発光素子１２に駆動電流Iｅｌが供給されるのは発光期間ＰELにおいてのみであり、従来例のようにリセット期間Ｐａにおいて駆動電流Ｉｅｌが発光素子１２に供給されることはない。すなわち、本実施形態の構成によれば、従来例のようにリセット期間Ｐａにおいて発光素子１２に駆動電流Ｉｅｌが供給されることはないうえ、確実に駆動トランジスタ３００をオン状態にできる。また、本実施形態の構成によれば、発光素子１２に対して黒が指定された場合にも、リセット期間Ｐａにおいて駆動電流Ｉｅｌが発光素子１２に供給されることはないから、黒を正確に表示できる。従って、画像のコントラストを向上させることができる。
以上のように、本実施形態の構成によれば、従来例と比べて発光素子１２における消費電流量を低減できるとともに、コントラストの低下も抑制できる。
【００６２】
＜Ｃ：変形例＞
本発明は上述した各実施形態に限定されるものではなく、例えば、以下の変形が可能である。また、以下に示す変形例のうちの２以上の変形例を組み合わせることもできる。
【００６３】
（１）変形例１
上述の各実施形態においては、画素回路Ｐに含まれる各トランジスタは総てＰチャネル型またはＮチャネル型であるが、これに限らず、例えば画素回路Ｐに含まれる各トランジスタのうち一部のトランジスタをＰチャネル型とし、他のトランジスタをＮチャネル型とすることもできる。要するに、本発明は、第１期間において、駆動トランジスタのゲートが電気的にフローティング状態とされたうえで、第１電極に第１の電位が供給されて第２電極の電位が駆動トランジスタをオン状態に遷移させることができる電位に変化し、第１期間経過後の第２期間において、駆動トランジスタがダイオード接続されるとともに、第１の電位とは異なる電位であって、データ電位の最大値と最小値との間の範囲内にある第２の電位が第１電極に供給され、第２期間経過後の第３期間においてダイオード接続が解除されるとともにデータ電位が第１電極に供給され、第３期間経過後の第４期間においてのみ、駆動トランジスタのゲートの電位に応じた駆動電流が発光素子に供給されるという態様であればよい。
【００６４】
（２）変形例２
上述の各実施形態においては、発光素子１１および１２の一例として、ＯＬＥＤ素子を取り上げたが、無機発光ダイオードやＬＥＤ（Light Emitting Diode）であってもよい。要は、駆動電流に応じた発光輝度で発光するのであれば、どのような素子であってもよい。
【００６５】
＜Ｄ：応用例＞
次に、本発明に係る発光装置１０を利用した電子機器について説明する。図１４は、以上に説明した何れかの形態に係る発光装置１０を表示装置として採用したモバイル型のパーソナルコンピュータの構成を示す斜視図である。パーソナルコンピュータ２０００は、表示装置としての発光装置１０と本体部２０１０とを備える。本体部２０１０には、電源スイッチ２００１およびキーボード２００２が設けられている。この発光装置１０は発光素子１１にＯＬＥＤ素子を使用しているので、視野角が広く見易い画面を表示できる。
【００６６】
図１５に、実施形態に係る発光装置１０を適用した携帯電話機の構成を示す。携帯電話機３０００は、複数の操作ボタン３００１およびスクロールボタン３００２、ならびに表示装置としての発光措置１０を備える。スクロールボタン３００２を操作することによって、発光装置１０に表示される画面がスクロールされる。
【００６７】
図１６に、実施形態に係る発光装置１０を適用した携帯情報端末（ＰＤＡ：Personal Digital Assistants）の構成を示す。情報携帯端末４０００は、複数の操作ボタン４００１および電源スイッチ４００２、ならびに表示装置としての発光装置１０を備える。電源スイッチ４００２を操作すると、住所録やスケジュール帳といった各種の情報が電気光学装置Ｄに表示される。
【００６８】
なお、本発明に係る電気光学装置が適用される電子機器としては、図１４から図１６に示したもののほか、デジタルスチルカメラ、テレビ、ビデオカメラ、カーナビゲーション装置、ページャ、電子手帳、電子ペーパー、電卓、ワードプロセッサ、ワークステーション、テレビ電話、ＰＯＳ端末、プリンタ、スキャナ、複写機、ビデオプレーヤ、タッチパネルを備えた機器等などが挙げられる。また、本発明に係る電気光学装置の用途は画像の表示に限定されない。例えば、光書込み型のプリンタや電子複写機といった画像形成装置においては、用紙などの記録材に形成されるべき画像に応じて感光体を露光する書込みヘッドが使用されるが、この種の書込みヘッドとしても本発明の電気光学装置は利用される。本発明にいう電子回路とは、各実施形態のように表示装置の画素を構成する画素回路のほか、画像形成装置における露光の単位となる回路をも含む概念である。
【図面の簡単な説明】
【００６９】
【図１】本発明の実施形態に係る発光装置の構成を示すブロック図である。
【図２】本発明の第１実施形態に係る画素回路の構成を示す回路図である。
【図３】各信号の波形を示すタイミングチャートである。
【図４】リセット期間における第１実施形態に係る画素回路の動作を説明するための回路図である。
【図５】補償期間における第１実施形態に係る画素回路の動作を説明するための回路図である。
【図６】書込期間における第１実施形態に係る画素回路の動作を説明するための回路図である。
【図７】発光期間における第１実施形態に係る画素回路の動作を説明するための回路図である。
【図８】本発明の第２実施形態に係る画素回路の構成を示す回路図である。
【図９】各信号の波形を示すタイミングチャートである。
【図１０】リセット期間における第２実施形態に係る画素回路の動作を説明するための回路図である。
【図１１】補償期間における第２実施形態に係る画素回路の動作を説明するための回路図である。
【図１２】書込期間における第２実施形態に係る画素回路の動作を説明するための回路図である。
【図１３】発光期間における第２実施形態に係る画素回路の動作を説明するための回路図である。
【図１４】本発明に係る電子機器の具体的な形態を示す斜視図である。
【図１５】本発明に係る電子機器の具体的な形態を示す斜視図である。
【図１６】本発明に係る電子機器の具体的な形態を示す斜視図である。
【図１７】従来の画素回路の構成を示す回路図である。
【符号の説明】
【００７０】
１０……発光装置、１１……発光素子、１２……発光素子、２４……電位生成部、１０２……走査線、１０４……給電線、１０６……データ線、２００……駆動トランジスタ、３００……駆動トランジスタ、Ａ……第１電極、Ｂ……第２電極、Ａ２……第１電極、Ｂ２……第２電極、ＶＧ……ゲートの電位。
【図１】
2009157148.tif 000003
【図２】
2009157148.tif 000004
【図３】
2009157148.tif 000005
【図４】
2009157148.tif 000006
【図５】
2009157148.tif 000007
【図６】
2009157148.tif 000008
【図７】
2009157148.tif 000009
【図８】
2009157148.tif 000010
【図９】
2009157148.tif 000011
【図１０】
2009157148.tif 000012
【図１１】
2009157148.tif 000013
【図１２】
2009157148.tif 000014
【図１３】
2009157148.tif 000015
【図１４】
2009157148.tif 000016
【図１５】
2009157148.tif 000017
【図１６】
2009157148.tif 000018
【図１７】
2009157148.tif 000019